(57)【特許請求の範囲】
【請求項１】
内部機器を支持するとともに内部機器に接続する外部からの電線が挿通される挿通孔が貫通した盤本体と、挿通孔と対向するように盤本体に一定の間隔を空けて固定されて内部機器が取付けられる取付板と、挿通孔と対向し且つ盤本体と一定の間隔を空けて取付板と盤本体との間に配置される板状のカバーとを備え、カバーは、直接又は間接的に盤本体に取付けられ、盤本体に固定されてカバーが着脱自在に取付けられる一乃至複数の支持部材を備え、支持部材は、盤本体に固定される固定部と、カバーが取付けられるカバー取付部と、取付板が取付けられる取付板取付部とを有し、支持部材は、取付板及びカバーの両端を支持し且つ互いに鏡像の関係となるように形成された一対の板状の部材から成ることを特徴とする分電盤。
【請求項２】
カバー取付部は、カバーに設けられた複数の係止孔に挿入係止される複数の係止片から成ることを特徴とする請求項１記載の分電盤。
【発明の詳細な説明】
【技術分野】
【０００１】
本発明は、主開閉器や分岐開閉器等の内部機器を配置、配線して成る分電盤に関する。
【背景技術】
【０００２】
従来、分電盤の盤本体背面が取付けられる取付壁内部に、同盤本体内に収容された内部機器に接続される外部電線の中継接続部を設け、同中継接続部から前記内部機器の電源接続部へ中継導体を介して電気的に接続させるものがあった（特許文献１参照）。
【０００３】
しかし、この分電盤（以下、「従来例１」と呼ぶ）では、取付壁の内部で外部電線と中継接続部とを接続するため、外部電線を中継接続部に取付ける際に作業スペースが狭くなって取付作業が煩雑となる問題や、中継導体を分電盤の内部に通すために、盤本体の背面において、内部機器が取付けられる取付ベースを挟んで２箇所を開口しているため、盤本体を大きくしなければならないという問題があった。
【０００４】
従来例１の問題を解決した分電盤として、次のものが挙げられる。この分電盤（以下、「従来例２」と呼ぶ）は、図５に示すように、主開閉器等の内部機器１００を支持する箱状の盤本体１０１と、内部機器１００が固定される取付板１０２とを備えた分電盤であって、盤本体１０１内部では、盤本体１０１背面に取付けられて取付板１０２を支持する複数の柱状の支持部１０３によって、取付板１０２と盤本体１０１背面との間に一定の間隔を空けて取付板１０２が支持されている。盤本体１０１背面には、盤本体１０１が取付けられる取付壁１０４内部に配線されて取付壁１０４内部から引き出される電線１０５を盤本体１０１内部に引き込む挿通孔１０１ａが設けられており、この挿通孔１０１ａを通して電線１０５が盤本体１０１内部に引き込まれ、内部機器１００と接続される。
【０００５】
盤本体１０１内部に引き込まれた電線１０５の一部は、盤本体１０１背面と取付板１０２との間に形成されるガタースペース１０６に屈曲して収納されるので、電線１０５を引き込むためにわざわざ盤本体１０１を大きくする必要が無い。また、電線１０５を内部機器１００に接続する際に、盤本体１０１内部で取付作業を行うだけでよく、取付壁１０４内部で取付作業をする必要がないので、取付作業が煩雑にならなくて済む。
【特許文献１】特開２００２−１０１５０６号公報
【発明の開示】
【発明が解決しようとする課題】
【０００６】
しかしながら、従来例２の分電盤では、ガタースペース１０６において、内部機器１００を取付板１０２に固定するための固定ねじ１０７が突出し、この固定ねじ１０７の突出部が電線１０５と接触することにより電線１０５の被覆が損傷する等の不具合が発生する虞があった。
【０００７】
本発明は上記の点に鑑みて為されたもので、外部から盤本体内に引き込む電線を盤本体内に安全に配線でき且つ盤本体を小型化した分電盤を提供することを目的とする。
【課題を解決するための手段】
【０００８】
請求項１の発明は、上記目的を達成するために、内部機器を支持するとともに内部機器に接続する外部からの電線が挿通される挿通孔が貫通した盤本体と、挿通孔と対向するように盤本体に一定の間隔を空けて固定されて内部機器が取付けられる取付板と、挿通孔と対向し且つ盤本体と一定の間隔を空けて取付板と盤本体との間に配置される板状のカバーとを備え、カバーは、直接又は間接的に盤本体に取付けられ、盤本体に固定されてカバーが着脱自在に取付けられる一乃至複数の支持部材を備え、支持部材は、盤本体に固定される固定部と、カバーが取付けられるカバー取付部と、取付板が取付けられる取付板取付部とを有し、支持部材は、取付板及びカバーの両端を支持し且つ互いに鏡像の関係となるように形成された一対の板状の部材から成ることを特徴とする。
【０００９】
請求項２の発明は、請求項１の発明において、カバー取付部は、カバーに設けられた複数の係止孔に挿入係止される複数の係止片から成ることを特徴とする。
【発明の効果】
【００１０】
請求項１の発明によれば、盤本体の背面とカバーとの間に電線が収納されるガタースペースを設けたため、盤本体の背面に電線を通すための開口部を複数設ける必要がなく、盤本体を小型化できる。さらに、挿通孔と対向し且つ盤本体と一定の間隔を空けて取付板と盤本体との間に配置される板状のカバーを備えたので、カバーが取付板と外部から引き込まれた電線とを隔て、内部機器を取付板に取付けるための固定ねじの突出部が電線と接触するのを防ぎ、したがって電線の被覆を損傷することがないため安全性が向上する。また、カバーが直接又は間接的に盤本体に取付けられるので、電線を抑えこむようにカバーを取付けた後で取付板を取付けることができ、電線の反発を気にすることなく容易に内部機器を取付けることができる。また、盤本体に固定されてカバーが着脱自在に取付けられる一乃至複数の支持部材を備え、支持部材は、盤本体に固定される固定部と、カバーが取付けられるカバー取付部と、取付板が取付けられる取付板取付部とを有するので、カバー及び取付板を取付けるためにそれぞれの支持部材を設ける必要が無く、したがって支持部材の配置スペースを狭くすることができ、配線作業が容易となる。また、支持部材は、取付板及びカバーの両端を支持し且つ互いに鏡像の関係となるように形成された一対の板状の部材から成るので、支持部材を盤本体に取付ける際に、各支持部材を区別することなく用いることができ、作業性が向上する。
【００１１】
請求項２の発明によれば、カバー取付部は、カバーに設けられた複数の係止孔に挿入係止される複数の係止片から成るので、カバーの係止孔を支持部材の係止片に係止することで容易にカバーを支持部材に取付けることができ、作業性が向上する。
【発明を実施するための最良の形態】
【００１２】
以下、本発明の実施形態について図１〜４を用いて説明する。本実施形態の分電盤は、主開閉器等の内部機器５を支持する盤本体１と、盤本体１内に収納される内部機器５を取付けるための取付板２と、盤本体１の背面に設けられて外部からの電線６を内部に引き込むための挿通孔１ａと、盤本体１の内側で挿通孔１ａを挟むように設けられて取付板２及び板状のカバー４が取付けられる一対の支持部材３とを備えている。
【００１３】
盤本体１は金属板で箱状に形成され、平板形状の背板１１の周囲に周壁を形成する枠部１２が一体化されており、背板１１と対向する前面側が開口している。この前面側に蓋体（図示せず）が着脱自在に装着されるようになっている。背板１１の中央部には略長方形状の挿通孔１ａが設けられており、この挿通孔１ａを通して一乃至複数の電線６が盤本体１の内部に引き込まれる。
【００１４】
取付板２は平板形状の金属板で形成されており、取付板２の四隅には支持部材３にねじ止めするための取付孔（図示せず）が設けられ、取付板２上には内部機器５を固定ねじ９で取付けるための機器用取付孔（図示せず）が複数箇所設けられている。本実施形態の内部機器５は主開閉器及び分岐開閉器等であり、取付板２上に設けられた機器用取付け孔にねじ止めによって固定される。
【００１５】
内部機器５の前面には複数の電線接続部５ａが設けられており、外部から引き込まれた電線６の一端をねじ止めによって固定することで電気的に接続される。また、前面には操作レバー５ｂが設けられており、この操作レバー５ｂを切り替えることで内部の接点を開閉して電気回路の断絶及び接続を切り替える。尚、本実施形態では、蓋体を開けることで盤本体１内部において操作レバー５ｂの切り替えを行うが、蓋体に開口部を設けて、この開口部から操作レバー５ｂを盤本体１の外部に臨ませることで、蓋体を開けることなく操作レバー５ｂの切り替えを行うことができるようにしてもよい。
【００１６】
カバー４は平板形状の金属板で形成され、長手方向に沿った両辺には、それぞれ略長方形状の取付片４ｂが一定の間隔を空けて２箇所に突設されており、各取付片４ｂの略中央には、支持部材３の係止片３ａを挿入する略長方形状の係止孔４ａが開口している。尚、カバー４は本実施形態では金属板で形成しているが、他の材料で形成してもよく、例えば合成樹脂材料で形成されてもよい。
【００１７】
支持部材３は、図４に示すように、盤本体１の背板１１に挿通孔１ａを挟むように固定される２つの平板形状の金属製の取付台１０上にそれぞれねじ止めによって取付けられる。取付台１０には、支持部材３をねじ止めによって取付けるための支持部材用取付孔（図示せず）が複数箇所設けられている。
【００１８】
支持部材３は、図３に示すように、金属製の平板の長手方向の片側を折曲して略Ｌ字状に形成され、取付台１０に固定される固定部３１と、固定部３１の長手方向の片側から立ち上がる立片３２から成る。固定部３１には、取付台１０にねじ止めによって取付けるための取付台用取付孔３１ａが複数箇所設けられている。
【００１９】
立片３２の両端には、取付板２を取付けるための取付板取付部３３が前面側（図３（ｂ）における左側）に突出して形成され、取付板取付部３３に挟まれた部位では、カバー４を取付けるためのカバー取付部である係止片３ａが一定の間隔を空けて２箇所に突設されている。取付板取付部３３は、外側方向（図３（ａ）における左側方向）にそれぞれ折曲されて略Ｌ字状に形成されており、固定部３１と対向する面には取付板２を取付けるための取付ねじ２ａが螺合する取付板取付孔３３ａが設けられている。取付板取付孔３３ａは各支持部材３に２箇所ずつで計４箇所設けられており、取付板２の四隅に設けられた取付孔及び取付板取付孔３３ａに取付ねじ２ａを挿入してねじ止めすることで取付板２が取付板取付部３３に着脱自在に取付けられる。
【００２０】
係止片３ａは、図３（ｂ）に示すように、立片３２の前面側から略凸形状に突設され、係止片３ａと立片３２との間にはカバー４の取付片４ｂが引掛けられる係止溝３ｂが設けられている。カバー４は、係止片３ａを係止孔４ａに挿入し、図４における下方向にスライドして係止溝３に取付片４ｂを引掛けることで着脱自在に係止される。係止片３ａの立片３２と対向する角は切り取られ、前面側の角から係止溝３ｂに向かう方向に傾斜面が設けられており、カバー４を取付ける際に、係止孔４ａの周囲の取付片４ｂがこの傾斜面に案内されて係止溝３ｂと容易に係合する。
【００２１】
尚、本実施形態の支持部材３は、何れも同一形状及び同一寸法に形成され、長手方向の中央線（図３（ａ）における点線ア）に関して線対称となっている。したがって、支持部材３を取付台１０に取付けた際に、支持部材３は互いに鏡像の関係となる。即ち、図４において、左側の取付台１０に取付けられる支持部材３は、１８０度回転させることで右側の取付台１０にも取付けることができ、右側の取付台１０に取付けられる支持部材３も、１８０度回転させることで左側の取付台１０にも取付けることができるようになっている。
【００２２】
以下、本実施形態の電線６の配線方法を説明する。まず電線６が引き出される電線引き出し孔７ａが設けられた取付壁７に盤本体１の背板１１を取付ける。この時、背板１１は挿通孔１ａと電線引き出し孔７ａが重なるように取付ける。次に、取付壁７内部から電線６を電線引き出し孔７ａ及び挿通孔１ａを通して盤本体１内部に引き込み、カバー４の係止孔４ａを係止片３ａに係止させることでカバー４を取付ける。この取付けられたカバー４と盤本体１の背板１１との間に形成されるガタースペース８に電線６が収納される。そして内部機器５が固定された取付板２を取付板取付部３３に取付け、ガタースペース８の図４における上下方向から電線６を引き出し、内部機器５の電線接続部５ａに接続することで配線が完了する。
【００２３】
上述のように、本実施形態によれば、盤本体１の背板１１とカバー４との間のガタースペース８に電線が収納されるため、背板１１に電線を通すための開口部を複数設ける必要がなく、したがって盤本体１を小さくすることができる。また、盤本体１の背板１１と取付板２との間にカバー４が配置されるようにしたので、カバー４が取付板２と電線６とを隔て、内部機器５を取付板２に固定するための固定ねじ９の突出部が電線６と接触するのを防ぎ、したがって電線６の被覆が損傷することがないため安全に配線することができる。また、支持部材３に取付板２及びカバー４を着脱自在に取付けられるようにしたので、カバー４を先に取付けて電線６の反発を抑えながら取付板２を取付けることができるため、内部機器５の取付けが容易となる。さらに取付板２とカバー４それぞれに個別の支持部を設ける必要がなく、支持部材３の配置スペースを狭くすることができ、配線作業が容易となる。また、支持部材３並びにカバー４にそれぞれ係止片３ａ、係止孔４ａを設けたので、係止孔４ａを係止片３ａに係止することで容易にカバー４を支持部材３に取付けることができ、作業性が向上する。さらに、係止片３ａを含めて支持部材３を互いに鏡像の関係となるように形成したので、支持部材３を盤本体１に取付ける際に、各支持部材３を区別することなく用いることができ、作業性が向上する。
【図面の簡単な説明】
【００２４】
【図１】本発明の実施形態の分電盤を示す断面図である。
【図２】本発明の実施形態の分電盤を示す平面図である。
【図３】本発明の実施形態の支持金具を示す図で、（ａ）は平面図で、（ｂ）は右から見た側面図である。
【図４】本発明の実施形態の分電盤を示す図で、カバー取付けの様子を示した斜視図である。
【図５】従来例２の分電盤を示す断面図である。
【符号の説明】
【００２５】
１  盤本体
１ａ  挿通孔
２  取付板
３  支持部材
３ａ  係止片
３３  取付板取付部
４  カバー
４ａ  係止孔
【図１】
0004575863.tif 000002
【図２】
0004575863.tif 000003
【図３】
0004575863.tif 000004
【図４】
0004575863.tif 000005
【図５】
0004575863.tif 000006